(57)【要約】      （修正有）【課題】冷蔵庫内の収納空間の区画分けを行う仕切りにおいて、通気機能を備え、デザインに優れ、高さ及び面積の異なる区画分けを容易に実現できる仕切り板連結構造を備えた仕切り構造を提供する。【解決手段】適宜大きさの板状本体１の縦両側辺１１に、先端に係止径大部２１を設けた連結突起２を上下適宜間隔で突設すると共に、係止径大部２１が圧入係止できる係止透孔（例えば十文字溝孔形状またはＹ字溝形状等の対向突片部３１を備えた形状）３を、連結突起２の形成間隔に対応する間隔で縦列に、且つ左右適宜間隔で複数列に設ける。このように構成した仕切り板（種々大きさの異なるものも含む）を、複数枚用いて仕切り構造を構成する。【選択図】図１
0003210362.tif 000002
【実用新案登録請求の範囲】
【請求項１】
適宜大きさの板状本体の縦両側辺に、先端に係止径大部を設けた連結突起を上下適宜間隔で突設すると共に、前記係止径大部が圧入係止できる係止透孔を、前記連結突起形成間隔に対応する間隔で縦列形成し、且つ左右適宜間隔で複数列設けてなる仕切り板を、複数枚で構成したことを特徴とする仕切り構造。
【請求項２】
係止透孔を、対向突片部を備えた十文字溝孔形状またはＹ字溝孔形状としてなる請求項１記載の仕切り構造。
【請求項３】
連結突起及び係止透孔の形成間隔が一致し、高さ及び長さが相違する複数の仕切り板で構成してなる請求項１又は２記載の仕切り構造。
【考案の詳細な説明】
【技術分野】
【０００１】
本考案は、複数枚の仕切り板を組み合わせて構成される仕切り構造に関するものである。
【背景技術】
【０００２】
冷蔵庫内や引出内を収納物に対応して収納空間を区切る仕切りは、一定の収納空間を形成した樹脂製仕切り体が知られているが、収納空間が固定されており変更することができない。そこで従前より複数の仕切り板を組み合わせて所望の区画分けされた収納空間を形成する仕切り構造が提案されている。
【０００３】
例えば特許文献１には、基板に係合穴を碁盤の目状に形成し、所望位置の係合穴に装着溝を備えた仕切り軸を装着して立設し、仕切り軸間に仕切り板を装着して収納空間の区画分けを行う仕切り構造が開示されている。
【０００４】
また特許文献２には、台座を備えた仕切り板の板面に、上方開口のコの字形状溝を多数縦列形成し、当該溝に他の仕切り板の側縁を差し込んで収納空間の区画分けを行う仕切り構造が開示されている。
【先行技術文献】
【特許文献】
【０００５】
【特許文献１】特開２００２−１２０８４６号公報。
【特許文献２】特開２００３―２４１５７号公報
【考案の概要】
【考案が解決しようとする課題】
【０００６】
ところで冷蔵庫の仕切りにおいては、収納空間への冷気の通過を考慮する必要があるが、特許文献１及び特許文献２開示の仕切り板は通気機能を具備していない。また強いて特許文献１記載の仕切り構造においては、板面に通気孔を多数穿設した仕切り板を採用すると通気機能を確保できるが、基板部材、軸部材を必要として構造が煩雑であり且つコスト高を招く。また特許文献２記載の仕切り板は板面全体に装着溝を縦列形成しているので、当該板面に態々通気孔を形成することは、板面強度を低下させてしまう。
【０００７】
そこで本考案は、通気機能を備える仕切り板連結構造を備えた仕切り板を採用した新規な仕切り構造を提案したものである。
【課題を解決するための手段】
【０００８】
本考案の請求項１記載に係る仕切り構造は、適宜大きさの板状本体の縦両側辺に、先端に係止径大部を設けた連結突起を上下適宜間隔で突設すると共に、前記係止径大部が圧入係止できる係止透孔を、前記連結突起の形成間隔に対応する間隔で縦列形成し、且つ左右適宜間隔で複数列設けてなる仕切り板を、複数枚で構成したことを特徴とするものである。
【０００９】
而して一方の仕切り板の連結突起を他方の仕切り板の係止透孔に挿着してＴ状に連結すると起立することができ、通気機能を備えた仕切りとなるものである。
【００１０】
また本考案の請求項２記載に係る仕切り構造は、特に前記の係止透孔の形状を、対向突片部を備えた十文字溝孔形状またはＹ字溝形状としてなるもので、透孔全体の形状を以て係止機能を発揮する対向突辺部を形成することになり、デザイン上（外観上）優れた仕切りとなる。
【００１１】
また本考案の請求項３記載に係る仕切り構造は、更に連結突起及び係止透孔の形成間隔が一致し、高さ及び長さが相違する複数の仕切り板で構成してなるもので、大小種々の仕切り板を組み合わせることで、高さ及び面積の相違する区画分けを容易に実現することができる。
【考案の効果】
【００１２】
本考案の構成は上記のとおりで、仕切り板における連結構造が通気機能を備えることになり、冷蔵庫の仕切り等の通気機能を必要とする区画分けに最適な仕切り構造を実現するものである。
【図面の簡単な説明】
【００１３】
【図１】本考案の実施形態の仕切り板の全体斜視図。
【図２】同連結構造の説明図。
【図３】同使用状態の説明図（同一仕切り板を使用）。
【図４】同図（異なる大きさの仕切り板を使用）。
【考案を実施するための形態】
【００１４】
次に本発明の実施形態について説明する。実施形態に示した仕切り板Ａは、板状本体１の縦両側辺１１に連結突起２を設け、板状本体１の全面に一定のパターン（例えば碁盤の目状）で係止透孔３を設けたものである。
【００１５】
特に連結突起２は上下適宜間隔（一定間隔、或いは一定間隔で無くとも、後述する連結対応する上下間隔）で複数突設してなり、先端に係止経大部２１を設けたもので、係止径大部２１と側辺１１の間隔は板状本体１の厚みと対応させたものである。
【００１６】
実施形態に示した係止透孔３は、十文字溝孔形状（或いはＹ字溝孔形状）として、対向突片部（図示した十文字溝孔では４個、Ｙ字溝孔では３個）３１を備えたもので、対向突片部３１の対向間隔は係止径大部２１の外径よりも僅かに狭くし、対向突片部３１の弾性で係止経大部２１が通過可能としたものである。
【００１７】
また係止透孔３の上下間隔は、図示したような連結突起２の上下間隔と対応して連結突起２の１／２間隔で設ける等、適宜対応させたものであり、更に左右に適宜な間隔で複数列設けたものである。
【００１８】
前記の仕切り板Ａは複数使用して収納空間の区画分けを行う仕切りを形成するもので、一方の仕切り板Ａ１の連結突起２他方の仕切り板Ａ２を係止透孔３に圧入すると、係止経大部２１が対向突片部３１を押し分けて板状本体１の背面に突出して仕切り板Ａ１，Ａ２が連結されるとことになる。
【００１９】
従って図３に例示するように、対向する仕切り板Ａ２に対して複数の仕切り板Ａ１の両端を連結することによって箱形状で且つ中仕切りを備えた仕切りが形成されることになる。
【００２０】
また仕切り板Ａ以外に、連結突起２の形状及び上下間隔を一致させ、且つ係止透孔３の形成も対応させた横長の仕切り板Ｂ、高さを高くした仕切り板Ｃ、高く且つ横長の仕切り板Ｄ、低い仕切り板Ｅ、低く且つ横長の仕切り板Ｆ等を種々組み合わせることで、図４に例示するように、高、面積、容積の相違する区画分けを容易に実現することができる。
【００２１】
本考案の係止透孔３は、実施形態で示した対向突片部３１を備えた形状に限られるものではなく、連結突起２の圧入時に拡径し、弾性で復帰して連結突起２が係止されるものであれば、その形状は任意に定められる。
【符号の説明】
【００２２】
Ａ，Ｂ・・・・仕切り板
１      板状本体
１１    側辺
２      連結突起
２１    係止経大部
３      係止透孔
３１    対向突片部
【図１】
0003210362.tif 000003
【図２】
0003210362.tif 000004
【図３】
0003210362.tif 000005
【図４】
0003210362.tif 000006